(57)【要約】【課題】ワイヤレス電力伝送システムの漏えい電磁界を複数の周波数帯において同時に可視化し、かつ漏えい電磁界の電磁干渉の影響を周波数帯毎に把握することを可能とする。【解決手段】電磁界可視化装置１が、予め定められた周波数帯毎に、漏えい電磁界を可視化したい場所のマップデータ上の座標とその座標における磁界強度とが対になった漏えい電磁界データが入力される入力部１２と、周波数帯毎に漏えい電磁界データから磁界強度が予め定められた閾値を超える座標を求め、マップデータにおける周波数帯毎に求めた座標にその周波数帯に対応する色情報を重畳して、マップデータ上における座標を含む所定サイズの領域を周波数帯毎に色付けした電磁干渉領域表示画像を生成するプロセッサ１３と、電磁干渉領域表示画像を表示する表示部１４とを備えた構成とする。【選択図】図１
2017181181.tif 000002
【特許請求の範囲】
【請求項１】
ワイヤレス電力伝送システムの漏えい電磁界を可視化する電磁界可視化装置であって、
予め定められた周波数帯毎に、前記漏えい電磁界を可視化したい場所のマップデータ上の座標とその座標における磁界強度とが対になった漏えい電磁界データが入力される入力部と、
前記周波数帯毎に前記漏えい電磁界データから前記磁界強度が予め定められた閾値を超える座標を求め、前記マップデータにおける前記周波数帯毎に求めた前記座標にその周波数帯に対応する色情報を重畳して、前記マップデータ上における前記座標を含む所定サイズの領域を前記周波数帯毎に色付けした電磁干渉領域表示画像を生成するプロセッサと、
前記電磁干渉領域表示画像を表示する表示部と
を備えたことを特徴とする電磁界可視化装置。
【請求項２】
前記プロセッサは、前記周波数帯毎に求めた前記座標が複数の前記周波数帯において互いに重なった場合には、その互いに重なった座標にその複数の周波数帯に対応する色情報を重畳することを特徴とする請求項１に記載の電磁界可視化装置。
【請求項３】
前記色情報が、色相環における色の位置関係に基づき定められたことを特徴とする請求項１または請求項２に記載の電磁界可視化装置。
【請求項４】
前記マップデータが、３次元空間を表す３次元座標軸系を含む３次元マップデータであり、
前記プロセッサは、前記３次元座標軸系における所定の２つの座標軸系により規定された所定の平面において、前記周波数帯毎に求めた前記座標にその周波数帯に対応する色情報を重畳することを特徴とする請求項１ないし請求項３のいずれかに記載の電磁界可視化装置。
【請求項５】
前記マップデータが、３次元空間を表す３次元座標軸系を含む３次元マップデータであり、
前記プロセッサは、前記３次元座標軸系において、前記周波数帯毎に求めた前記座標にその周波数帯に対応する色情報を重畳して、前記３次元座標軸系の３次元座標毎にその座標を含む所定サイズの球状領域を色付けした前記電磁干渉領域表示画像を生成することを特徴とする請求項１ないし請求項３のいずれかに記載の電磁界可視化装置。
【請求項６】
ワイヤレス電力伝送システムの漏えい電磁界を可視化する電磁界可視化方法であって、
予め定められた周波数帯毎に、前記漏えい電磁界を可視化したい場所のマップデータ上の座標とその座標における磁界強度とが対になった漏えい電磁界データを入力する入力ステップと、
前記周波数帯毎に前記漏えい電磁界データから前記磁界強度が予め定められた閾値を超える座標を求め、前記マップデータにおける前記周波数帯毎に求めた前記座標にその周波数帯に対応する色情報を重畳して、前記マップデータ上における前記座標を含む所定サイズの領域を前記周波数帯毎に色付けした電磁干渉領域表示画像を生成する画像生成ステップと、
前記電磁干渉領域表示画像を表示する表示ステップと
を有することを特徴とする電磁界可視化方法。
【請求項７】
前記画像生成ステップでは、前記周波数帯毎に求めた前記座標が複数の前記周波数帯において互いに重なった場合には、その互いに重なった座標にその複数の周波数帯に対応する色情報を重畳することを特徴とする請求項６に記載の電磁界可視化方法。
【請求項８】
前記色情報が、色相環における色の位置関係に基づき定められたことを特徴とする請求項６または請求項７に記載の電磁界可視化方法。
【請求項９】
前記マップデータが、３次元空間を表す３次元座標軸系を含む３次元マップデータであり、
前記画像生成ステップでは、前記３次元座標軸系における所定の２つの座標軸系により規定された所定の平面において、前記周波数帯毎に求めた前記座標にその周波数帯に対応する色情報を重畳することを特徴とする請求項６ないし請求項８のいずれかに記載の電磁界可視化方法。
【請求項１０】
前記マップデータが、３次元空間を表す３次元座標軸系を含む３次元マップデータであり、
前記画像生成ステップでは、前記３次元座標軸系において、前記周波数帯毎に求めた前記座標にその周波数帯に対応する色情報を重畳して、前記３次元座標軸系の３次元座標毎にその座標を含む所定サイズの球状領域を色付けした前記電磁干渉領域表示画像を生成することを特徴とする請求項６ないし請求項８のいずれかに記載の電磁界可視化方法。
【発明の詳細な説明】
【技術分野】
【０００１】
本開示は、ワイヤレス電力伝送システムの漏えい電磁界を可視化する電磁界可視化装置および電磁界可視化方法に関する。
【背景技術】
【０００２】
近年、携帯型情報端末や家電機器に充電または給電用の電力をワイヤレス電力伝送により供給する中電力（数百Ｗ）のワイヤレス電力伝送システム（以降、適宜に「ＷＰＴシステム」と呼称する）が普及しつつあり、また、電気自動車に充電用の電力を供給する大電力（数ｋＷ）のＷＰＴシステムも、今後の実用化に向けて開発が進められており、このようなＷＰＴシステムにより、利用者が給電・充電を行う際の利便性を格段に向上させることができる。また、このようなＷＰＴシステムにより、家電機器については、給電・充電の利便性以外にも、配置自由度、防水性などの耐候性の向上を実現することができる。また、これにより、例えば、壁掛け式ＴＶや丸洗い可能な調理家電製品等の電源配線が不要な家電機器の新たな市場の創出が期待できる。
【０００３】
しかし、ＷＰＴシステムは空間に放射する磁界や電界を利用して電力を伝送するため、このシステムから近接した空間に漏えい電磁界が発生する。そのため、このシステムの漏えい電磁界の周波数またはその整数倍の高次周波数が、このシステムの近傍で使用される各種の電子・電気機器の使用周波数と重なると、その電子・電気機器に対して、性能劣化や誤動作などの電磁干渉を及ぼす恐れがある。
【０００４】
そこで、電子機器等からの漏えい電磁界の電磁干渉の影響を把握することを目的とした、漏えい電磁界を可視化する技術が提案されている（特許文献１参照）。この特許文献１に記載の従来技術では、電磁界センサで測定した電磁界強度に基づき電磁界ベクトルを算出し、その電磁界ベクトルを３次元的に示す画像を表示装置に表示するとしている。
【先行技術文献】
【特許文献】
【０００５】
【特許文献１】特開２０１２−４２４０１号公報
【発明の概要】
【発明が解決しようとする課題】
【０００６】
複数のＷＰＴシステムが互いに近接して存在する場合は、様々な周波数帯で漏えい電磁界が発生する。また、上述したように、漏えい電磁界は、その基本周波数だけでなく、その整数倍の高次周波数も電磁干渉の原因となる。したがって、漏えい電磁界の電磁干渉の影響は、１つの周波数帯だけでなく、数十ｋＨｚ〜数ＧＨｚの幅広い周波数範囲における複数の周波数帯において同時に把握できることが望ましい。また、漏えい電磁界の磁界強度の許容限度は周波数帯毎に異なるため、漏えい電磁界の電磁干渉の影響は、周波数帯毎に把握できることが望ましい。
【０００７】
しかしながら、特許文献１に記載の従来技術では、漏えい電磁界を１つの周波数帯で可視化することはできるものの、複数の周波数帯において同時に可視化することはできなかった。また、特許文献１に記載の従来技術では、漏えい電磁界の電磁干渉の影響を周波数帯毎に把握することもできなかった。
【０００８】
本開示は、このような従来技術の課題を鑑みて案出されたものであり、ワイヤレス電力伝送システムの漏えい電磁界を複数の周波数帯において同時に可視化し、かつ漏えい電磁界の電磁干渉の影響を周波数帯毎に把握することが可能な電磁界可視化装置および電磁界可視化方法を提供することを主目的とする。
【課題を解決するための手段】
【０００９】
本開示の電磁界可視化装置は、ワイヤレス電力伝送システムの漏えい電磁界を可視化する電磁界可視化装置であって、予め定められた周波数帯毎に、前記漏えい電磁界を可視化したい場所のマップデータ上の座標とその座標における磁界強度とが対になった漏えい電磁界データが入力される入力部と、前記周波数帯毎に前記漏えい電磁界データから前記磁界強度が予め定められた閾値を超える座標を求め、前記マップデータにおける前記周波数帯毎に求めた前記座標にその周波数帯に対応する色情報を重畳して、前記マップデータ上における前記座標を含む所定サイズの領域を前記周波数帯毎に色付けした電磁干渉領域表示画像を生成するプロセッサと、前記電磁干渉領域表示画像を表示する表示部とを備えたことを特徴とする。
【発明の効果】
【００１０】
本開示によれば、ワイヤレス電力伝送システムの漏えい電磁界を複数の周波数帯において同時に可視化し、かつ漏えい電磁界の電磁干渉の影響を周波数帯毎に把握することが可能となる。
【図面の簡単な説明】
【００１１】
【図１】本実施形態に係る電磁界可視化装置の概略構成を示すブロック図
【図２】漏えい電磁界の磁界強度の許容限度の閾値の一例を示す図
【図３】本実施形態に係る電磁界可視化装置による処理の流れを示すフロー図
【図４】電磁干渉領域表示画像の一例を示す図
【発明を実施するための形態】
【００１２】
上記課題を解決するためになされた第１の発明は、ワイヤレス電力伝送システムの漏えい電磁界を可視化する電磁界可視化装置であって、予め定められた周波数帯毎に、前記漏えい電磁界を可視化したい場所のマップデータ上の座標とその座標における磁界強度とが対になった漏えい電磁界データが入力される入力部と、前記周波数帯毎に前記漏えい電磁界データから前記磁界強度が予め定められた閾値を超える座標を求め、前記マップデータにおける前記周波数帯毎に求めた前記座標にその周波数帯に対応する色情報を重畳して、前記マップデータ上における前記座標を含む所定サイズの領域を前記周波数帯毎に色付けした電磁干渉領域表示画像を生成するプロセッサと、前記電磁干渉領域表示画像を表示する表示部とを備えたことを特徴とする。
【００１３】
この第１の発明に係る電磁界可視化装置によれば、マップデータ上における、磁界強度が予め定められた閾値を超える座標を含む所定サイズの領域を、周波数帯毎に色付けして表示することができる。これにより、ワイヤレス電力伝送システムの漏えい電磁界を複数の周波数帯において同時に可視化し、かつ漏えい電磁界の電磁干渉の影響を周波数帯毎に把握することが可能となる。
【００１４】
また、第２の発明は、上記第１の発明において、前記プロセッサは、前記周波数帯毎に求めた前記座標が複数の前記周波数帯毎において互いに重なった場合には、その互いに重なった座標にその複数の周波数帯に対応する色情報を重畳することを特徴とする。
【００１５】
この第２の発明に係る電磁界可視化装置によれば、マップデータ上における、磁界強度が予め定められた閾値を超える座標を含む所定サイズの領域が、複数の周波数帯において互いに重なった場合でも、その互いに重なった部分を分かり易く表示することが可能となる。
【００１６】
また、第３の発明は、上記第１の発明または第２の発明において、前記色情報が、色相環における色の位置関係に基づき定められたことを特徴とする。
【００１７】
この第３の発明に係る電磁界可視化装置によれば、ユーザが、周波数帯、または複数の周波数帯の組み合わせを、色相環における色の位置関係に基づき直感的に認識することが可能となる。
【００１８】
また、第４の発明は、上記第１の発明ないし第３の発明のいずれかにおいて、前記マップデータが、３次元空間を表す３次元座標軸系を含む３次元マップデータであり、前記プロセッサは、前記３次元座標軸系における所定の２つの座標軸系により規定された所定の平面において、前記周波数帯毎に求めた前記座標にその周波数帯に対応する色情報を重畳することを特徴とする。
【００１９】
この第４の発明に係る電磁界可視化装置によれば、マップデータとして３次元マップデータを使用する場合に、３次元座標軸系における所定の２つの座標軸系により規定された所定の平面毎に、磁界強度が予め定められた閾値を超える座標を含む所定サイズの領域を表示することが可能となる。
【００２０】
また、第５の発明は、上記第１の発明ないし第３の発明のいずれかにおいて、前記マップデータが、３次元空間を表す３次元座標軸系を含む３次元マップデータであり、前記プロセッサは、前記３次元座標軸系において、前記周波数帯毎に求めた前記座標にその周波数帯に対応する色情報を重畳して、前記３次元座標軸系の３次元座標毎にその座標を含む所定サイズの球状領域を色付けした前記電磁干渉領域表示画像を生成することを特徴とする。
【００２１】
この第５の発明に係る電磁界可視化装置によれば、マップデータとして３次元マップデータを使用する場合に、３次元空間において、磁界強度が予め定められた閾値を超える座標を含む所定サイズの領域を分かり易く表示することが可能となる。
【００２２】
また、第６の発明は、ワイヤレス電力伝送システムの漏えい電磁界を可視化する電磁界可視化方法であって、予め定められた周波数帯毎に、前記漏えい電磁界を可視化したい場所のマップデータ上の座標とその座標における磁界強度とが対になった漏えい電磁界データを入力する入力ステップと、前記周波数帯毎に前記漏えい電磁界データから前記磁界強度が予め定められた閾値を超える座標を求め、前記マップデータにおける前記周波数帯毎に求めた前記座標にその周波数帯に対応する色情報を重畳して、前記マップデータ上における前記座標を含む所定サイズの領域を前記周波数帯毎に色付けした電磁干渉領域表示画像を生成する画像生成ステップと、前記電磁干渉領域表示画像を表示する表示ステップとを有することを特徴とする。
【００２３】
この第６の発明に係る電磁界可視化方法によれば、マップデータ上における、磁界強度が予め定められた閾値を超える座標を含む所定サイズの領域を、周波数帯毎に色付けして表示することができる。これにより、ワイヤレス電力伝送システムの漏えい電磁界を複数の周波数帯において同時に可視化し、かつ漏えい電磁界の電磁干渉の影響を周波数帯毎に把握することが可能となる。
【００２４】
また、第７の発明は、上記第６の発明において、前記画像生成ステップでは、前記周波数帯毎に求めた前記座標が複数の前記周波数帯において互いに重なった場合には、その互いに重なった座標にその複数の周波数帯に対応する色情報を重畳することを特徴とする。
【００２５】
この第７の発明に係る電磁界可視化方法によれば、マップデータ上における、磁界強度が予め定められた閾値を超える座標を含む所定サイズの領域が、複数の周波数帯において互いに重なった場合でも、その互いに重なった部分を分かり易く表示することが可能となる。
【００２６】
また、第８の発明は、上記第６の発明または第７の発明において、前記色情報が、色相環における色の位置関係に基づき定められたことを特徴とする。
【００２７】
この第８の発明に係る電磁界可視化方法によれば、ユーザが、周波数帯、または複数の周波数帯の組み合わせを、色相環における色の位置関係に基づき直感的に認識することが可能となる。
【００２８】
また、第９の発明は、上記第６の発明ないし第８の発明のいずれかにおいて、前記マップデータが、３次元空間を表す３次元座標軸系を含む３次元マップデータであり、前記画像生成ステップでは、前記３次元座標軸系における所定の２つの座標軸系により規定された所定の平面において、前記周波数帯毎に求めた前記座標にその周波数帯に対応する色情報を重畳することを特徴とする。
【００２９】
この第９の発明に係る電磁界可視化方法によれば、マップデータとして３次元マップデータを使用する場合に、３次元座標軸系における所定の２つの座標軸系により規定された所定の平面毎に、磁界強度が予め定められた閾値を超える座標を含む所定サイズの領域を表示することが可能となる。
【００３０】
また、第１０の発明は、上記第６の発明ないし第８の発明のいずれかにおいて、前記マップデータが、３次元空間を表す３次元座標軸系を含む３次元マップデータであり、前記画像生成ステップでは、前記３次元座標軸系において、前記周波数帯毎に求めた前記座標にその周波数帯に対応する色情報を重畳して、前記３次元座標軸系の３次元座標毎にその座標を含む所定サイズの球状領域を色付けした前記電磁干渉領域表示画像を生成することを特徴とする。
【００３１】
この第１０の発明に係る電磁界可視化方法によれば、マップデータとして３次元マップデータを使用する場合に、３次元空間において、磁界強度が予め定められた閾値を超える座標を含む所定サイズの領域を分かり易く表示することが可能となる。
【００３２】
以下、本開示の実施の形態について、図面を参照しながら説明する。
【００３３】
図１は、本実施形態に係る電磁界可視化装置１の概略構成を示すブロック図である。図１に示すように、電磁界可視化装置１は、記憶部１１と、入力部１２と、プロセッサ１３と、表示部１４と、それらを接続するバス１５とを備えている。
【００３４】
記憶部１１は、例えばＲＯＭやハードディスク等の記憶装置（ストレージ）であり、漏えい電磁界を可視化したい場所のマップデータ、予め定められた周波数帯毎に予め定められた漏えい電磁界の磁界強度の許容限度の閾値（以降、「磁界強度閾値」と呼称する）、および予め定められた周波数帯毎に予め対応付けられた色情報を格納している。また、記憶部１１には、電磁界可視化装置１の各機能を実現するための各種プログラムおよび各種データが格納されている。
【００３５】
本実施形態では、マップデータは、２次元座標軸系を含む２次元マップデータであり、漏えい電磁界を可視化したい場所の平面図と、その平面図における２次元座標とを含んでいる。本実施形態では、漏えい電磁界を可視化したい場所は建物の屋内であり、マップデータは、建物の屋内の内部構成や間取りを示す平面図を含んでいる。
【００３６】
図２は、記憶部１１に格納された磁界強度閾値の一例を示す図である。図２に示す磁界強度閾値は、電波利用環境委員会により設定された目標値であり、ＷＰＴシステムの伝送電力が３ｋＷである場合の、ＷＰＴシステムの近傍で使用される各種の電子・電気機器における電磁干渉の許容限度の閾値である。図２を参照して、例えば、４２ｋＨｚ以下の周波数帯では、磁界強度閾値は「−５．５１」ｄＢμＡ／ｍであり、４２〜４８ｋＨｚの周波数帯では、磁界強度閾値は「３９．８」ｄＢμＡ／ｍである。なお、図２に示した磁界強度閾値は一例であり、磁界強度閾値は可視化対象のＷＰＴシステムの伝送電力に応じて適宜設定するとよい。
【００３７】
色情報は、マップデータ上の指定された領域に色付けする色を定義した情報であり、例えば、周波数帯Ａについては赤色、周波数帯Ｂについては青色というように、周波数帯毎に予め対応付けられている。また、色情報は、例えば、周波数帯Ａと周波数帯Ｂとの組み合わせについては灰色というように、周波数帯の予め定められた組み合わせ毎にも予め対応付けられている。
【００３８】
なお、色情報は、色相環における色の位置関係に基づき定めてもよい。例えば、周波数帯Ａについては赤色、周波数帯Ｂについては青色、周波数帯Ｃについては緑色というように、周波数帯Ａ、周波数帯Ｂおよび周波数帯Ｃの各色を色相環において互いに等間隔に位置する３色（この例では、赤色、青色および緑色の３色）にするとよい。そして、周波数帯Ａと周波数帯Ｂとの組み合わせについては、色相環における周波数帯Ａの色（赤色）と周波数帯Ｂの色（青色）との中間に位置する色（紫色）とし、周波数帯Ｂと周波数帯Ｃとの組み合わせについては、色相環における周波数帯Ｂの色（青色）と周波数帯Ｃの色（緑色）との中間に位置する色（青緑色）とし、周波数帯Ｃと周波数帯Ａとの組み合わせについては、色相環における周波数帯Ｃの色（緑色）と周波数帯Ａの色（赤色）との中間に位置する色（黄色）とすればよい。このようにすると、ユーザが、周波数帯、または複数の周波数帯の組み合わせを、色相環における色の位置関係に基づき直感的に認識することが可能となる。
【００３９】
入力部１２は、キーボード、マウス等の入力装置、またはその他のデータ入力装置から構成され、図示しない公知の電磁界測定装置により測定された漏えい電磁界データを電磁界可視化装置１に入力するのに使用される。漏えい電磁界データは、予め定められた周波数帯毎のデータであり、マップデータ上の座標とその座標における磁界強度とが対になっている。また、この入力部１２は、電磁界可視化装置１に各種の命令を入力したり、記憶部１１に上記のマップデータ、磁界強度閾値データおよび色情報データを入力したりするのにも使用される。
【００４０】
また、漏えい磁界データとして、電磁界解析シミュレーションにより求めたデータを用いることもできる。その場合は、周波数帯毎に、その周波数帯に適したシミュレーション方法を用いるとよい、例えば、低周波数帯域（９ｋＨｚ〜３０ＭＨｚ）では周波数ドメイン・電磁界解析シミュレーション方法、中〜高周波数帯域（３０ＭＨｚ〜２ＧＨｚ）ではトランジェント・電磁界解析シミュレーション方法、高周波数帯域（３ＧＨｚ〜６ＧＨｚ）では幾何光学的伝搬解析シミュレーション方法を用いるとよい。
【００４１】
プロセッサ１３は、例えばＣＰＵであり、所定の制御プログラムに基づき、記憶部１１から各種プログラムおよび各種データを図示しないＲＡＭ（プロセッサのワークエリア等として機能する揮発性メモリ）上に読み出して、電磁界可視化装置１の各処理を実行する。具体的には、プロセッサ１３は、入力部１２から入力された電磁界データに基づき、電磁干渉領域表示画像（図４参照）を生成する。
【００４２】
表示部１４は、例えばディスプレイ（モニタ）等の一般的な表示装置であり、プロセッサ１３での処理結果の表示等に使用される。
【００４３】
図３は、本実施形態に係る電磁界可視化装置１による処理の流れを示すフロー図である。図３を参照して、本実施形態に係る電磁界可視化装置１による処理の流れを説明する。
【００４４】
まず、入力部１２に、可視化対象のＷＰＴシステムの漏えい電磁界データが予め定められた周波数帯毎に入力される（ステップＳＴ１０１）。漏えい電磁界データは、上述したように、周波数帯毎の、マップデータ上の座標とその座標における磁界強度とが対になったデータである。
【００４５】
続いて、プロセッサ１３は、記憶部１１に格納されている電磁強度閾値（図２参照）を参照して、周波数帯毎に、入力部１２に入力された漏えい電磁界データから、磁界強度が磁界強度閾値を超える座標を求める（ステップＳＴ１０２）。具体的には、周波数帯毎に、磁界強度が電磁強度閾値を超える座標群を求める。例えば、図２を参照して、７９−９０ｋＨｚの周波数帯での磁界強度閾値は「３９．８」である。したがって、７９−９０ｋＨｚの周波数帯では、磁界強度が磁界強度閾値「３９．８」を超える座標群を求める。
【００４６】
次に、プロセッサ１３は、入力部１２から、入力すべき全ての周波数帯の漏えい電磁界データの入力が完了したか否かを判定する（ステップＳＴ１０３）。完了したと判定された場合（ステップＳＴ１０３：Ｙｅｓ）は、ステップＳＴ１０４に進み、完了していないと判定された場合（ステップＳＴ１０３：Ｎｏ）は、ステップＳＴ１０１に戻る。なお、入力すべき周波数帯は、可視化対象のＷＰＴシステムに応じて、ユーザが適宜選択するとよい。
【００４７】
ステップＳＴ１０４では、プロセッサ１３は、記憶部１１からマップデータを読み出し、マップデータにおける、上記のステップＳＴ１０２において周波数帯毎に求めた座標群にその周波数帯に対応する色情報を重畳して、磁界強度が電磁強度閾値を超える座標群を含む所定サイズの領域を周波数帯毎に色付けした電磁干渉領域表示画像を生成する。磁界強度が電磁強度閾値を超える座標群を含む所定サイズの領域は、ＷＰＴシステムの漏えい電磁界がその近傍で使用される電子・電気機器に対して電磁干渉の影響を及ぼす範囲（以降、「電磁干渉範囲」と呼称する）である。続くステップＳＴ１０５では、表示部１４が、プロセッサ１３で生成された電磁干渉領域表示画像を表示する。
【００４８】
図４は、ＷＰＴシステムの漏えい電磁界を可視化したい場所である建物の屋内２１における電磁干渉範囲を表示する電磁干渉領域表示画像の一例を示す図である。図４に示すように、周波数帯Ａの電磁干渉範囲２２は赤色で表示されており、漏えい電磁界の周波数帯Ｂの電磁干渉範囲２３は青色で表示されている。また、周波数帯Ａの電磁干渉範囲２２と周波数帯Ｂの電磁干渉範囲２３とが互いに重なった部分２４は灰色で表示されている。このように、図４に示した電磁干渉領域表示画像は、電磁干渉範囲を周波数帯毎に色分けして表示する。また、複数の周波数帯の電磁干渉範囲が互いに重なった場合に、その互いに重なった部分を分かり易く表示することができる。
【００４９】
なお、図４の例では、周波数帯Ａおよび周波数帯Ｂの２つの周波数帯について表示しているが、表示する周波数帯の数は所望に応じて適宜変更可能である。例えば、周波数帯Ａ、周波数帯Ｂ、および周波数帯Ｃの３つの周波数帯について表示するようにしてもよい。その場合は、上述したように、各周波数帯に対応する色情報は、色相環における色の位置関係に基づき定めるとよい。このようにすると、ユーザが、周波数帯、または複数の周波数帯の組み合わせを、色相環における色の位置関係に基づき直感的に認識することが可能となる。
【００５０】
以上のように、本実施形態によれば、マップデータ上における電磁干渉範囲を周波数帯毎に色付けして表示することができる。これにより、ワイヤレス電力伝送システムの漏えい電磁界を複数の周波数帯において同時に可視化し、かつ漏えい電磁界の電磁干渉の影響を周波数帯毎に把握することが可能となる。また、これにより、ＷＰＴシステムの近傍に電子・電気機器を配置する際に、ユーザが周波数帯毎の電磁干渉範囲を考慮した適切な配置位置を検討することが可能となる。
【００５１】
なお、本実施形態では、マップデータ、磁界強度閾値、および色情報を記憶部１１に予め格納するように構成したが、これらの一部または全部は、プロセッサ１３による電磁干渉領域表示画像の生成処理の実行時に、入力部１２から入力するように構成してもよい。また、本実施形態では、マップデータが、建物の屋内２１の内部構成や間取りを示す平面図を含むように構成したが、内部構成や間取りは必須ではなく、単なる座標のみを含む平面図であってもよい。また、マップデータは、プロセッサ１３が、漏えい電磁界データに含まれる座標に基づき作成するようにしてもよい。
【００５２】
また、本実施形態では、マップデータとして２次元座標軸系を含む２次元マップデータを用いたが、マップデータは２次元マップデータに限定されるものではなく、３次元空間を表す３次元座標軸系を含む３次元マップデータであってもよい。この場合、マップデータ上の座標は３次元座標となる。また、この場合は、３次元座標軸系における所定の２つの座標軸系により規定された所定の平面において、周波数帯毎に求めた磁界強度が電磁強度閾値を超える座標群にその周波数帯に対応する色情報を重畳するようにしてもよい。例えば、３次元座標軸系におけるＸ−Ｙ平面、Ｘ−Ｚ平面、またはＹ−Ｚ平面のいずれかの平面を指定し、その指定された平面の座標にその周波数帯に対応する色情報を重畳するようにしてもよい。これにより、３次元座標軸系における所定の２つの座標軸系により規定された所定の平面毎に、電磁干渉範囲を表示することが可能となる。
【００５３】
また、マップデータとして３次元マップデータを用いる場合は、３次元座標軸系において、周波数帯毎に求めた磁界強度が電磁強度閾値を超える座標群にその周波数帯に対応する色情報を重畳して、３次元座標軸系の３次元座標毎にその座標を含む所定サイズの球状領域を色付けした電磁干渉領域表示画像を生成するようにしてもよい。これにより、３次元空間において、電磁干渉範囲を分かり易く表示することが可能となる。また、３次元空間を表示する視点をキー操作等により変更できるように構成すると、３次元空間における電磁干渉範囲を様々な視点から見ることが可能となり、これにより、３次元空間における電磁干渉範囲をより詳しく把握することが可能となる。
【００５４】
以上、本開示を特定の実施形態に基づいて説明したが、これらの実施形態はあくまでも例示であって、本開示はこれらの実施形態によって限定されるものではない。なお、上記実施形態に示した本開示に係る電磁界可視化装置および電磁界可視化方法の各構成要素は、必ずしも全てが必須ではなく、少なくとも本開示の範囲を逸脱しない限りにおいて適宜取捨選択することが可能である。
【産業上の利用可能性】
【００５５】
本開示に係る電磁界可視化装置および電磁界可視化方法は、ワイヤレス電力伝送システムの漏えい電磁界を複数の周波数帯において同時に可視化し、かつ漏えい電磁界の電磁干渉の影響を周波数帯毎に把握することを可能とする電磁界可視化装置および電磁界可視化方法等として有用である。
【符号の説明】
【００５６】
１    電磁界可視化装置
１１  入力部
１２  記憶部
１３  プロセッサ
１４  表示部記憶部
１５  バス
２１  建物の屋内
２２  周波数帯Ａの電磁干渉範囲
２３  周波数帯Ｂの電磁干渉範囲
２４  周波数帯Ａおよび周波数帯Ｂの電磁干渉範囲
【図１】
2017181181.tif 000003
【図２】
2017181181.tif 000004
【図３】
2017181181.tif 000005
【図４】
2017181181.tif 000006